(57)【要約】【課題】  紙粉が発生する等の問題を生じることなく、非使用時に容易に減容化できるとともに、多数回に亘って再使用できる通い箱を提供する。【解決手段】  底板１とその周縁部に立設された下部周壁板２ａ，２ｂを有する通い箱本体３と、各下部周壁板２ａ，２ｂの上辺部に折り目４を介して連設された上部周壁板５ａ，５ｂと、相隣接する上部周壁板５ａ，５ｂの上端コーナ部を連結して両上部周壁板５ａ，５ｂを起立状態に保持する連結部材６とを備え、この連結部材６による上記両上部周壁板５ａ，５ｂの連結状態を解除することにより上記折り目４を支点に上部周壁板５ａ，５ｂを折畳み可能に構成した。【選択図】      図１
2005247350.tif 000002
【特許請求の範囲】
【請求項１】
底板とその周縁部に立設された下部周壁板とを有する通い箱本体と、各下部周壁板の上辺部に折り目を介して連設された上部周壁板と、相隣接する上部周壁板の上端コーナ部を連結して両上部周壁板を起立状態に保持する連結部材とを備え、この連結部材による上記両上部周壁板の連結状態を解除することにより上記折り目を支点に上部周壁板を折畳み可能に構成したことを特徴とする通い箱。
【請求項２】
相隣接する上部周壁板の上端コーナ部に外嵌される凹溝を連結部材に形成するとともに、連結部材の一端部を上記両上部周壁板の一方に枢支し、この枢支部を支点に連結部材を揺動変位させることにより上記凹溝を上部周壁板の上端コーナ部に係脱するように構成したことを特徴とする請求項１に記載の通い箱。
【請求項３】
起立状態にある相隣接した上部周壁板の一方に取り付けられる取付部と、両上部側壁板の他方の側辺部を覆う被覆部とを有する補強部材を備えたことを特徴とする請求項１または２に記載の通い箱。
【請求項４】
通い箱を構成する各壁板が遮光性および防水性を有し、この各壁板により囲まれて遮光および防水された内部に感光性樹脂版が収容されることを特徴とする請求項１〜３の何れか１項に記載の通い箱。
【発明の詳細な説明】
【技術分野】
【０００１】
本発明は、感光性樹脂版等の被収容物を収容した状態で保管または搬送するために使用される通い箱に関するものである。
【背景技術】
【０００２】
従来、下記特許文献１に示されるように、妻板と側板とが折り目を介して連設されて周壁部を構成し、上記妻板および側板の上下縁に蓋板および底板が折り目を介して連設されて天井壁および底壁を形成し、上記側板と蓋板と底板の幅方向中央に、この幅方向と直交する方向に延びる折り目を形成した段ボール製の通い箱内に、妻板緩衝部と側板緩衝部とを有する緩衝板を配設し、この緩衝板を再資源化が可能な材料により形成するとともに、上記妻板もしくは側板の内側を緩衝板で着脱自在に覆うことにより、通い箱に所定の座屈強度および曲げ強度を持たせるようにした通い箱が知られている。
【特許文献１】実用新案登録第３０７６０３３号公報
【発明の開示】
【発明が解決しようとする課題】
【０００３】
上記特許文献１に開示された通い箱では、必要に応じて上記緩衝板を通い箱から容易に取り外して再生紙として再資源化できるとともに、被収容物がないときに、側板を中央部で折曲げて２つの妻板で側板を挟むことにより、上記緩衝板を取り付けたままで小さく折畳むことができるという利点がある。しかし、上記側板の中央部に設けられた折り目に沿って通い箱を偏平に折畳むためには、粘着テープもしくは接着剤により固着された上記蓋板および底板の重ね合わせ部を分離することにより通い箱を解体する必要があり、その作業が繁雑であるとともに、この解体および組立を繰り返す際に、通い箱を構成する段ボール体等が損傷し易いとともに、紙粉が飛散し易いという問題がある。したがって、紙粉が付着することが致命的な欠陥の原因となる感光性樹脂版等を収納する通い箱として上記構成のものを使用することは困難であるとともに、通い箱として再使用できる回数が制限されるという問題があった。
【０００４】
本発明は、上記の点に鑑みてなされたものであり、紙粉が発生する等の問題を生じることなく、非使用時に容易に減容化できるとともに、多数回に亘って再使用できる通い箱を提供することを目的としている。
【課題を解決するための手段】
【０００５】
請求項１に係る発明は、底板とその周縁部に立設された下部周壁板とを有する通い箱本体と、各下部周壁板の上辺部に折り目を介して連設された上部周壁板と、相隣接する上部周壁板の上端コーナ部を連結して両上部周壁板を起立状態に保持する連結部材とを備え、この連結部材による上記両上部周壁板の連結状態を解除することにより上記折り目を支点に上部周壁板を折畳み可能に構成したものである。
【０００６】
請求項２に係る発明は、上記請求項１に記載の通い箱において、相隣接する上部周壁板の上端コーナ部に外嵌される凹溝を連結部材に形成するとともに、連結部材の一端部を上記両上部周壁板の一方に枢支し、この枢支部を支点に連結部材を揺動変位させることにより上記凹溝を上部周壁板の上端コーナ部に係脱するように構成したものである。
【０００７】
請求項３に係る発明は、上記請求項１または２に記載の通い箱において、起立状態にある相隣接した上部周壁板の一方に取り付けられる取付部と、両上部側壁板の他方の側辺部を覆う被覆部とを有する補強部材を備えたものである。
【０００８】
請求項４に係る発明は、上記請求項１〜３の何れか１項に記載の通い箱において、通い箱を構成する各壁板が遮光性および防水性を有し、この各壁板により囲まれて遮光および防水された内部に感光性樹脂版が収容されるものである。
【発明の効果】
【０００９】
上記請求項１に係る発明によれば、使用時には、相隣接する上部周壁板の上端コーナ部を連結部材によって連結することにより、両上部周壁板を起立状態に保持して収容量を増大させ、かつ非使用時には、上記連結部材による上端コーナ部の連結状態を解除して上部周壁板を折畳むことにより、通い箱本体を解体することなくその容積を減少させて通い箱を減容化する作業を容易に行うことができる。したがって、上記の通い箱を段ボール材等により形成した場合においても、上記減容化作業時等に紙粉が発生したり、通い箱が損傷したりするのを効果的に防止することができ、上記通い箱を多数回に亘って再使用できるという利点がある。
【００１０】
上記請求項２に係る発明によれば、使用時には、相隣接する上部周壁板を起立させた状態で、連結部材の一端部に設けられた枢支部を支点に連結部材を揺動変位させることにより、相隣接する上部周壁板の上端コーナ部に上記連結部材の凹溝を外嵌して両上部周壁板を連結する作業を容易に行うことができ、かつ非使用時には、上記枢支部を支点に連結部材を揺動変位させるだけで、この連結部材による上記上端コーナ部の連結状態を解除することができる。
【００１１】
上記請求項３に係る発明によれば、使用時には、起立状態にある相隣接した上部周壁板の側辺部を補強部材によって補強することにより、各上部周壁板の起立状態を安定して保持することができるとともに、この状態で各上部周壁板の上端コーナ部に上記連結部材を嵌着する作業を容易かつ正確に行うことができる。
【００１２】
上記請求項４に係る発明によれば、遮光性および防水性を有する各壁板により囲まれて遮光および防水された内部に感光性樹脂版からなる被収容物が収容されることにより、この感光性樹脂版が光または水分等による悪影響を受けるのを効果的に防止できるという利点がある。
【発明を実施するための最良の形態】
【００１３】
図１は、本発明に係る通い箱の実施形態を示している。この通い箱は、長方形の底板１とその周辺部に立設された下部周壁板２ａ，２ｂとを有する通い箱本体３と、各下部周壁板２ａ，２ｂの上辺部に折り目４を介して連設された上部周壁板５ａ，５ｂと、相隣接する上部周壁板５ａ，５ｂの上端コーナ部を連結することにより両上部周壁板５ａ，５ｂを起立状態に保持する連結部材６と、起立状態にある相隣接した上部周壁板５ａ，５ｂの側辺部を補強する補強部材７と、通い箱の上端開口部を閉止する蓋体８と、上記通い箱本体３内に挿入される補強枠９と、その上方に配設される中底板１０とを備えている。
【００１４】
上記通い箱を構成する底板１、下部周壁板２ａ，２ｂ、上部周壁板５ａ，５ｂ、蓋体８、補強枠９および中底板１０は、ポリエチレン、ポリプロピレン等のポリオレフィン類、ポリエチレンテレフタレート、ポリブチレンテレフタレート等のポリエステル類、ナイロン６、ナイロン６６、ナイロン１２等のポリアミド類、ポリスチレン、ポリスチレン共重合体等からなる一般的なプラスチック材、ガラス繊維等により強化された強化プラスチック材、通常の段ボール材、または表面がプラスチック材により被覆された強化段ボール材等により構成されている。
【００１５】
上記通い箱本体３は、各下部周壁板２ａ，２ｂの下端部に連設されたフラップ片が重ね合わされた状態で接着、テープ止めまたはステープラー止めされる等により、通常の段ボール箱と同様に形成された底板１を有するとともに、その周縁部に立設された各下部周壁板２ａ，２ｂの側辺部同士が一体に接合されて各下部周壁板２ａ，２ｂが起立状態に保持されることにより、所定高さＨ１を有する直方体状に形成されている。また、短辺側に位置する下部周壁板２ｂの壁面には、通い箱を搬送する際等に取手部となる切欠き１１が設けられている。
【００１６】
上記各上部周壁板５ａ，５ｂは、それぞれ下部周壁板２ａ，２ｂと一体に形成されるとともに、図２に示すように、上部周壁板５ａ，５ｂと下部周壁板２ａ，２ｂとの連設部に設けられた凹条からなる折り目４を支点に揺動可能に支持されている。また、上記各上部周壁板５ａ，５ｂは、その上下寸法Ｈ２が短辺側の下部周壁板２ｂの幅寸法Ｗに対応した大きさに設定されている。
【００１７】
また、図３および図４に示すように、連結部材６は、プラスチック材または金属材等により下面が開口した断面逆Ｕ字状の第１係合部６ａおよび第２係合部６ｂを有するとともに、この第１係合部６ａと第２係合部６ｂとが直交した状態で連設されることにより、平面から見てＬ字状に形成されている。上記第１係合部６ａの下面に設けられた凹溝１２が、長辺側に位置する上部周壁板５ａの上端部に外嵌された状態で、連結部材６の一端部、つまり上記第１係合部６ａの基端部がヒンジピン１３によって上記長辺側上部周壁板５ａの上端部に枢支され、このヒンジピン１３からなる枢支部を支点に上記連結部材６が揺動可能に支持されている。また、上記第１係合部６ａの基端部上面には、連結部材６の揺動変位を許容するための切欠き６ｃが所定範囲に亘って形成されている。
【００１８】
そして、上記ヒンジピン１３からなる枢支部を支点に連結部材６を揺動変位させることにより、図４の実線で示すように、上記第２係合部６ｂの下面に設けられた凹溝１２を、短辺側に位置する上部周壁板５ｂの上端部に外嵌した状態と、図４の仮想線で示すように、上記第２係合部６ｂを短辺側上部周壁板５ｂの上端部から離間させた状態とに変位させ得るように構成されている。なお、上記連結部材６を揺動変位させることにより短辺側上部周壁板５ｂの上端部に対して第２係合部６ｂを係脱する操作を容易に行い得るようにするため、上記連結部材６の少なくとも第２係合部６ｂを、弾力性を有する素材により形成することが好ましい。
【００１９】
上記補強部材７は、プラスチック材または金属材等からなり、図５に示すように、長辺側上部周壁板５ａの側辺部外面に接着、ピン止めまたはステープラー止め等の手段で取り付けられた取付部７ａと、短辺側上部周壁板５ｂの側辺部外面を覆う被覆部７ｂとを有する断面Ｌ字状に形成されている。また、補強部材７の全長が、上記連結部材６の幅寸法に対応した値だけ上部周壁板５ａ，５ｂの上下寸法Ｈ２よりも短く設定されるとともに、補強部材７の被覆部７ｂと上記長辺側上部周壁板５ａの側端面との間には、短辺側上部周壁板５ｂの側端部が挿入される隙間１４が設けられている。
【００２０】
上記蓋体８は、通い箱の上端開口部を閉止する天板部８ａと、その周縁部から下方に突出された所定幅の側板部８ｂとを有している（図１参照）。この側板部８ｂが上記上部周壁板５ａ，５ｂの外面に沿って外嵌されることにより、蓋体８が通い箱の上端部に嵌着されるように構成されている。
【００２１】
また、補強枠９は、通い箱本体３の底板１に対応した大きさの底面部９ａと、その長手方向の両端部に立設された側面部９ｂとを有し、この側面部９ｂが上記通い箱本体３の短辺側下部周壁板５ｂに対応した大きさに形成されている。上記補強枠９が通い箱本体３内に挿入され、その底板１上に補強枠９の底面部９ａが載置されることにより、通い箱本体３の底板１および下部周壁板２ｂが、それぞれ補強枠９の底面部９ａおよび側面部９ｂによって補強されるように構成されている。上記中底板１０は、通い箱本体３内に収容された被収容物上に載置され、あるいは補強枠９の底面部９ａ上に載置された状態で使用されるように構成されている。
【００２２】
上記のように構成された通い箱を使用する際には、相隣接する上部周壁板５ａ，５ｂを起立させた状態で、短辺側上部周壁板５ｂの側端部を補強部材７と長辺側上部周壁板５ａとの間に形成された隙間１４内に挿入することにより、両上部周壁板５ａ，５ｂを位置合わせするとともに、相隣接する上部周壁板５ａ，５ｂの揺動変位を上記補強部材７によりして各上部側壁板５ａ，５ｂを起立状態に支持する。この状態で、上記連結部材６を図４の仮想線で示す離間位置から実線で示す係合位置に揺動変位させることにより、図６に示すように、上部周壁板５ａ，５ｂの上端コーナ部を連結して各上部周壁板５ａ，５ｂを起立状態に保持する。
【００２３】
そして、上記通い箱の下方に位置する通い箱本体３内に補強枠９を挿入した状態で、所定の被収容物、例えば黒色のポリエチレンフィルム材等の遮光性を有するフィルム材により包装された感光性樹脂版等からなる被収容物Ｓを、上記通い箱本体３内に収容するとともに、上記通い箱本体３内に収容された被収容物Ｓ上に中底板１０を載置した状態で、その上に被収容物Ｓを収容した後、上記通い箱の上端部に蓋体８を嵌着する。
【００２４】
また、上記通い箱の非使用時には、その内部から被収容物Ｓを取り出すとともに、上記連結部材６による両上部周壁板５ａ，５ｂの連結状態を解除した状態で、図７に示すように、相対向する短辺側の上部周壁部５ｂを、それぞれ折り目４を支点にして通い箱本体３の内方側に折畳んだ後、相対向する長辺側の上部周壁部５ａを、それぞれ折り目４を支点にして上記短辺側上部周壁部５ａの上に折畳むようにする。この結果、図８に示すように、通い箱は、その上下寸法が大幅に縮められて減容化されることになる。なお、上記連結部材６による両上部周壁板５ａ，５ｂの連結状態を解除し、通い箱本体３の上端開口部を開放する方向に各上部周壁板５ａ，５ｂを変位させた状態とすれば、通い箱本体３内に収容された下段の被収容物Ｓを容易に取り出すことが可能となる。
【００２５】
上記のように通い箱本体３を構成する各下部周壁板２ａ，２ｂの上辺部に折り目４を介して上部周壁板５ａ，５ｂを連設するとともに、相隣接する上部周壁板５ａ，５ｂの上端コーナ部を連結部材６により連結して両上部周壁板５ａ，５ｂを起立状態に保持するように構成したため、上記通い箱の使用時には、その上下寸法を充分に確保することにより収容量を増大させることができる。そして、通い箱の非使用時には、上記連結部材６による両上部周壁板５ａ，５ｂの連結状態を解除して、上記折り目４を支点に上部周壁板５ａ，５ｂを折畳み得るように構成したため、上部周壁板５ａ，５ｂの上下寸法Ｈ２に対応した距離だけ通い箱の上下寸法を小さくすることにより、通い箱の容積を大幅に減少させて減容化することができる。
【００２６】
しかも、従来技術のように通い箱本体３を解体することなく、相隣接する上部周壁板５ａ，５ｂの上端コーナ部に対して連結部材６を係脱するだけで、各上部周壁板５ａ，５ｂを起立状態に保持して通い箱の収容量を増大させる作業および各上部周壁板５ａ，５ｂを折畳んで通い箱を減容化する作業を容易に行うことができる。したがって、上記通い箱を段ボール材等により形成した場合においても、上記減容化作業時等に紙粉が発生したり、通い箱が損傷したりするのを効果的に防止することができ、上記通い箱を多数回に亘って再使用できるという利点がある。上記通い箱本体３および上部周壁板５ａ，５ｂを段ボール材により形成した場合において、上記連結部材６の係脱操作時に紙粉が発生したり、上部周壁板５ａ，５ｂの上端コーナ部が損傷したりするのを確実に防止するためには、少なくとも上部周壁板５ａ，５ｂの上端コーナ部を被覆テープにより被覆し、あるいはプラスチック材層等によってコーティングすることが好ましい。
【００２７】
上記実施形態では、相隣接する上部周壁板５ａ，５ｂの上端コーナ部に外嵌される凹溝１２を連結部材６に形成するとともに、連結部材６の一端部をヒンジピン１３によって上部周壁板５ａに枢支し、このヒンジピン１３からなる枢支部を支点に連結部材６を揺動変位させることにより上記凹溝１２を上部周壁板５ａ，５ｂの上端コーナ部に係脱するように構成した例について説明したが、この構成に代え、図９に示すように、上記連結部材１６の下面に設けられた凹溝１２を上部周壁板５ａ，５ｂの上端コーナ部に外嵌することにより、相隣接した上部周壁板５ａ，５ｂを起立状態に保持するとともに、連結部材１６を上部周壁板５ａ，５ｂの上端コーナ部から抜き取ることにより取り外し得るように構成してもよい。
【００２８】
しかし、図９に示すように、連結部材１６を上部周壁板５ａ，５ｂの上端コーナ部から取り外し可能に構成した場合には、連結部材１６の上記凹溝１２と、上部周壁板５ａ，５ｂの上端コーナ部とを正確に位置合わせした状態で連結部材１３を嵌着しなければならず、この作業が煩雑であるとともに、連結部材１６を上部周壁板５ａ，５ｂの上端コーナ部から取り外した際に、この連結部材１６を紛失し易いという欠点がある。
【００２９】
これに対して図４に示すように、上記上部周壁板５ａの一方に連結部材６の基端部をヒンジピン１３とにより枢支した場合には、この枢支部を支点に連結部材６を揺動変位させるだけで、上記凹溝１２を上部周壁板５ａ，５ｂの上端コーナ部に対して容易かつ正確に嵌着することができる。さらに、上記連結部材６による両上部側壁板５ａ，５ｂの連結状態を解除した状態においても、上部側壁板５ａと連結部材６とが一体に連結されているため、この連結部材６を紛失するという事態の発生を確実に防止できるという利点がある。
【００３０】
また、上記実施形態では、上部周壁板５ａの側辺部に取り付けられる取付部７ａと、上部側壁板５ｂの側辺部を覆う被覆部７ｂとを有する断面Ｌ字状部材かなる補強部材７により、上部周壁板５ａ，５ｂの揺動変位を規制するように構成したため、通い箱の使用時に、相隣接する上部周壁板５ａ，５ｂを起立状態に安定して支持することができるとともに、その上端コーナ部に上記連結部材６を嵌着する作業を容易かつ正確に行うことができるという利点がある。
【００３１】
特に、図５に示すように、補強部材７の第２側辺部７ｂと、長辺側上部周壁板５ａの側端面との間に、短辺側上部周壁板５ｂの側端部が挿入される隙間１４を設けた構造とした場合には、この間隙１４内に短辺側上部周壁板５ｂの側端部を挿入して係止することにより、両上部周壁５ａ，５ｂを起立させる際に、これらを正確に位置合わせすることができるとともに、その起立状態を効果的に安定させることができるため、上記連結部材６の凹溝１２を上部周壁板５ａ，５ｂの上端コーナ部に対して嵌着する作業を、より正確かつ容易に行うことができるという利点がある。
【００３２】
また、上記実施形態に示すように、通い箱本体３の底板１に対応した大きさの底面部９ａと、その長手方向の両端部に立設された側面部９ｂとからなる補強枠９を設け、この補強枠９を通い箱本体３内に挿入するように構成した場合には、通い箱本体３の底板１および下部周壁板５ｂを補強枠９の底面部９ａおよび側面部９ｂにより効果的に補強して被収容物Ｓの収納状態を安定させることができるともに、通い箱本体３に対して被収容物Ｓを出し入れする際に、通い箱本体３の内壁面が損傷するのを上記補強枠９により効果的に防止できるという利点がある。しかも、上記側辺部９ｂの上下寸法を通い箱本体３の下部周壁部５ｂの上限寸法Ｈ１に対応した値に設定することにより、通い箱の非使用時に上記補強枠９を通い箱本体３内に収納した状態で搬送および保管を行うことができる。
【００３３】
また、上記通い箱を構成する各壁板、つまり上記天板１、下部周壁板２ａ，２ｂ、上部周壁板５ａ，５ｂおよび蓋体８等を、黒色顔料または紫外線吸収剤等が練り込まれたプラスチック材により形成し、または黒色顔料や紫外線吸収剤等を含有する塗料が塗布された素材あるいは黒色顔料や紫外線吸収剤等を含有するフィルム材が積層された素材により形成することにより、上記各壁板に遮光性をもたせるとともに、防水性をもたせ、この各壁板により囲まれて遮光および防水された内部に感光性樹脂版からなる被収容物Ｓを収容した場合には、この感光性樹脂版が光または水分等により悪影響を受けるのを効果的に防止できるという利点がある。
【００３４】
さらに、上記通い箱内に感光性樹脂版からなる複数の被収容物Ｓを収容する際に、図６に示すように、各被収容物Ｓを縦向きにして収容するように構成した場合には、各被収容物Ｓの耐衝撃性および耐埃性を効果的に向上させることができる。
【００３５】
なお、図１０に示すように、底面部９ａの長手方向の両端部に立設された一対の側面部９ｂの間に、１枚または複数枚の隔壁板９ｃを立設した構造としてもよい。この構成によれば、通い箱を満杯にするだけの被収容物Ｓがなく、その一部のみに被収容物Ｓを収納する場合においても、上記隔壁板９ｃにより被収容物Ｓの収容状態を安定させることができるという利点がある。
【００３６】
また、長辺側の上部周壁板５ａに上記連結部材６を枢支するとともに、補強部材７の取付部７ａを取り付けてなる上記実施形態に代え、上記連結部材６および補強部材７の一方もしくは両方を短辺側の上部周壁部５ｂに枢支あるいは固定した構造としてもよい。
【図面の簡単な説明】
【００３７】
【図１】本発明に係る通い箱の実施形態を示す分解斜視図である。
【図２】上部周壁板と下部周壁板との間に設けられた折り目の具体的構成を示す断面図である。
【図３】連結部材の具体的構成を示す斜視図である。
【図４】連結部材により上部周壁板の上端コーナ部を連結した状態を示す説明図である。
【図５】補強部材により下部周壁板の側辺部を補強した状態を示す説明図である。
【図６】被収容物を収容した状態を示す断面図である。
【図７】短辺側の上部周壁板を折畳んだ状態を示す断面図である。
【図８】長辺側の上部周壁板を折畳んだ状態を示す斜視図である。
【図９】連結部材の他の例を示す斜視図である。
【図１０】補強枠の他の例を示す斜視図である。
【符号の説明】
【００３８】
１  底板
２  下部周壁板
３  通い箱本体
４  折り目
５  上部周壁板
６  連結部材
７  補強部材
１２  凹溝
１３  ヒンジピン（枢支部）
【図１】
2005247350.tif 000003
【図２】
2005247350.tif 000004
【図３】
2005247350.tif 000005
【図４】
2005247350.tif 000006
【図５】
2005247350.tif 000007
【図６】
2005247350.tif 000008
【図７】
2005247350.tif 000009
【図８】
2005247350.tif 000010
【図９】
2005247350.tif 000011
【図１０】
2005247350.tif 000012